(57)【要約】本発明は車両用のディスプレイ装置に関し、前記ディスプレイ装置は、前記車両の運転状態情報に従って色彩情報を表示するように構成され、前記運転状態情報は、前記車両の現在の燃料消費を示し、前記色彩情報は、有色のシンボルを含む。更に、本発明は、このようなディスプレイ装置を備える車両に関する。
2013506589.tif 000002
【特許請求の範囲】
【請求項１】
車両用のディスプレイ装置（１０）であって、
前記ディスプレイ装置（１０）は、前記車両の運転状態情報に従って色彩情報（１４）を表示するように構成され、
前記運転状態情報は、前記車両の現在の燃料消費を示し、
前記色彩情報（１４）は、有色のシンボルを含むことを特徴とするディスプレイ装置（１０）。
【請求項２】
前記運転状態情報は、低／中／高の燃料消費を示し及び／又は前記車両の現在のｒｐｍを示し、好ましくは、前記車両の低／中／高のｒｐｍを示すことを特徴とする、請求項１に記載のディスプレイ装置（１０）。
【請求項３】
前記色彩情報（１４）は、有色のポインタ及び／又は有色の背面照明を含むことを特徴とする、請求項１又は２に記載のディスプレイ装置（１０）。
【請求項４】
前記色彩情報（１４）は、緑色、黄色及び／若しくは赤色の色彩、色彩変化、混合された色彩、色彩の勾配、並びに／又は異なる強度の色彩を含むことを特徴とする、請求項１乃至３の何れか１項に記載のディスプレイ装置（１０）。
【請求項５】
前記ディスプレイ装置（１０）は、車両ディスプレイシステムの速度ディスプレイ装置及び／又はｒｐｍディスプレイ装置を含むことを特徴とする、請求項１乃至４の何れか１項に記載のディスプレイ装置（１０）。
【請求項６】
前記ディスプレイ装置（１０）は、独立制御可能な色彩光源を含み、前記色彩光源は、好ましくは、少なくとも２つの異なる色彩を放射するように構成されることを特徴とする、請求項１乃至５の何れか１項に記載のディスプレイ装置（１０）。
【請求項７】
前記ディスプレイ装置（１０）は、色彩ダイオードの群を含み、前記群は、隣り合って配列され、好ましくは、緑色、黄色及び／又は青色のダイオードを含むことを特徴とする、請求項１乃至６の何れか１項に記載のディスプレイ装置（１０）。
【請求項８】
前記ディスプレイ装置（１０）は、異なる色彩を放射するように構成される色彩照明ダイオードを含むことを特徴とする、請求項１乃至７の何れか１項に記載のディスプレイ装置（１０）。
【請求項９】
前記色彩情報（１４）の色彩強度を制御するためにパルス幅変調が使用されることを特徴とする、請求項１乃至８の何れか１項に記載のディスプレイ装置（１０）。
【請求項１０】
前記ディスプレイ装置（１０）は、部分表示領域を含み、前記部分表示領域は、前記色彩情報（１４）を表示するように構成されることを特徴とする、請求項１乃至９の何れか１項に記載のディスプレイ装置（１０）。
【請求項１１】
前記ディスプレイ装置（１０）は、表示面を含み、前記表示面は、部分的に光通過可能であり及び／又は半透明であることを特徴とする、請求項１乃至１０の何れか１項に記載のディスプレイ装置（１０）。
【請求項１２】
請求項１乃至１１の何れか１項に記載のディスプレイ装置（１０）を備える車両であって、
前記ディスプレイ装置（１０）は、前記車両の運転状態情報に従って色彩情報（１４）を表示するように構成され、
前記運転状態情報は、前記車両の現在の燃料消費を示し、
前記色彩情報（１４）は、有色のシンボルを含むことを特徴とする車両。
【発明の詳細な説明】
【技術分野】
【０００１】
本発明は、車両内のディスプレイ装置、特に、車両ディスプレイシステムに関する。
【背景技術】
【０００２】
このようなディスプレイ装置は、多くの例示において知られている。一般にハンドルの背後の領域に配置される現在の車両ディスプレイシステムは、特に、ポインタ計器等の機械的又はアナログ式計器、ＬＣＤ等のデジタル計器、及び、例えば、温度、燃料又は油表示手段のためのシンボルに関する情報を運転者に伝達する。
【０００３】
速度、冷却水の温度、ｒｐｍ等の表示に加えて、ディスプレイ装置上の情報の一部は選択的にのみ、即ち、必要に応じて又は現在の状況次第で表示されるが、車両の運転者は情報の洪水に晒される。
【０００４】
独国公開特許第ＤＥ１０２００４０１３６１１Ａ１号には、有色のポインタを有する車両用のディスプレイ装置が開示されており、このポインタは燃料の現在の使用により異なる色彩を備えている。先行技術の欠点として、色彩光源がポインタに取り付けられ又は色彩光源からポインタに光導管によって伝達されなければならず、これは取り付けに比較的費用がかかる。
【０００５】
本発明の目的は、観察者の低い注意のみを要求し且つ取り付けが容易である擬似的に無意識の情報伝達を可能にする車両内のディスプレイ装置を提供することである。
【発明の概要】
【０００６】
この目的は、色彩符号化シンボルを有する情報を表示するディスプレイ装置によって達成され、ここで情報は現在の燃料消費を示す。
【０００７】
燃料消費を示す情報は、非常に重要である。運転者が情報によって影響を受ける態様でこのような情報が表示される場合、このような情報を表示するための新しい方法が存在することが必要である。
【０００８】
本発明によれば、色彩変化を使用して無意識的に情報を運転者に伝達することが有利に可能である。運転者は情報を受信するために視野の側部領域の色彩変化に気付くことが必要とされるだけなので、この種類の情報伝達は、ディスプレイ装置に直接視線を合わせる必要がない。例えば、ディスプレイ装置が車両ディスプレイシステムの速度ディスプレイ装置である場合、背面照明として以下の機能が統合可能である。
【０００９】
（それぞれ比較的低いｒｐｍの代替として）、比較的低い燃料消費に対応する第１の運転状態において、それぞれの速度ディスプレイ装置及び／又はｒｐｍディスプレイ装置の背面照明、速度ディスプレイ装置及び／又はｒｐｍディスプレイ装置の領域に配置されるシンボルは緑色である。それぞれのシンボルに対する背面照明の代替として、例えば、ポインタの色彩が変化可能であり、即ち、第１の運転状態において、ポインタの色彩は緑色である。
【００１０】
（それぞれ比較的中程度のｒｐｍの代替として）、比較的中程度の燃料消費に対応する第２の運転状態において、それぞれの速度ディスプレイ装置及び／又はｒｐｍディスプレイ装置の背面照明、速度ディスプレイ装置及び／又はｒｐｍディスプレイ装置の領域に配置されるシンボルは黄色である。それぞれのシンボルに対する背面照明の代替として、例えば、ポインタの色彩が変化可能であり、即ち、第１の運転状態において、ポインタの色彩は黄色である。
【００１１】
（それぞれ比較的高いｒｐｍの代替として）、比較的高い燃料消費に対応する第３の運転状態において、それぞれの速度ディスプレイ装置及び／又はｒｐｍディスプレイ装置の背面照明、速度ディスプレイ装置及び／又はｒｐｍディスプレイ装置の領域に配置されるシンボルは赤色である。それぞれのシンボルに対する背面照明の代替として、例えば、ポインタの色彩が変化可能であり、即ち、第１の運転状態において、ポインタの色彩は赤色である。
【００１２】
こうした例示的な運転状態の中間状態は、混合された色彩又は色彩の勾配によって表示可能である。ディスプレイ装置の完全な表示領域又は表示領域の一部のみのそれぞれにおいて、シンボルが色彩変化可能な照明を備えるかどうかは任意である。
【００１３】
本発明の非常に好ましい実施形態において、照明装置は、複数の独立光源を備えており、放射される光の色彩によって異なる少なくとも２種類の光源が設けられる。照明ダイオードの群にわたって緑色、黄色、赤色又は混合された色彩若しくは色彩の勾配を表示するために、独立して調整可能である、例えば、緑色、黄色及び青色の照明ダイオードが隣り合って群で配置される。
【００１４】
更に、ディスプレイ装置が光源の制御に従って異なる色彩で光を照射する光源を備えることが好ましい。このような光源のために、例えば、制御に従って異なる色彩を含む光を放射する光ダイオードが適切である。このようなディスプレイ装置は、照明のために、例えば、シンボルの背面照明のために小さな空間のみが提供される場合に、特に適切である。
【００１５】
好ましくは、光源の強度を制御するためにパルス幅変調が使用される。
【００１６】
本発明の更に好ましい実施形態では、表示領域又は表示面のパルス照明のために制御装置が設けられる。
【００１７】
更に、ディスプレイ装置の表示面、例えば、車両ディスプレイシステム等のディスプレイ装置の観察面が、部分的に光通過可能であり及び／又は半透明であることが好ましい。従って、既定の構造においてのみ色彩変化を表示することが有利に可能である。
【００１８】
本発明の目的は車両用のディスプレイ装置に関し、ディスプレイ装置は、車両の運転状態情報に従って色彩情報を表示するように構成され、運転状態情報は、車両の現在の燃料消費を示し、色彩情報は、有色のシンボルを含む。
【００１９】
好ましくは、運転状態情報は、低／中／高の燃料消費を示し及び／又は車両の現在のｒｐｍを示し、好ましくは、車両の低／中／高のｒｐｍを示す。
【００２０】
好ましくは、色彩情報は、有色のポインタ及び／又は有色の背面照明を含む。
【００２１】
好ましくは、色彩情報は、緑色、黄色及び／若しくは赤色の色彩、色彩変化、混合された色彩、色彩の勾配、並びに／又は異なる強度の色彩を含む。
【００２２】
好ましくは、ディスプレイ装置は、速度ディスプレイ装置及び／又は車両ディスプレイシステムのｒｐｍディスプレイ装置を含む。
【００２３】
好ましくは、ディスプレイ装置は、独立制御可能な色彩光源を含み、色彩光源は、好ましくは、少なくとも２つの異なる色彩を放射するように構成される。
【００２４】
好ましくは、ディスプレイ装置は、色彩ダイオードの群を含み、群は、隣り合って配列され、好ましくは、緑色、黄色及び／又は青色のダイオードを含む。
【００２５】
好ましくは、ディスプレイ装置は、異なる色彩を放射するように構成される色彩照明ダイオードを含む。
【００２６】
好ましくは、色彩情報の色彩強度を制御するためにパルス幅変調が使用される。
【００２７】
好ましくは、ディスプレイ装置は、部分表示領域を含み、部分表示領域は、色彩情報を表示するように構成される。
【００２８】
好ましくは、ディスプレイ装置は、表示面を含み、表示面は、部分的に光通過可能であり及び／又は半透明である。
【００２９】
本発明の更なる目的は、上記実施形態の何れか１つによるディスプレイ装置を備える車両に関し、ここで、ディスプレイ装置は、車両の運転状態情報に従って色彩情報を表示するように構成され、運転状態情報は、車両の現在の燃料消費を示し、色彩情報は、有色のシンボルを含む。
【００３０】
本発明の例示の実施形態は、以下の図面の中で描かれており、更なる例示及び詳細と共に、更に明らかにされる。
【図面の簡単な説明】
【００３１】
【図１】本発明の第１の実施形態を示す。
【図２】本発明の第１の実施形態を示す。
【図３】本発明の第１の実施形態を示す。
【図４】本発明の第１の実施形態を示す。
【図５】本発明の第２の実施形態を示す。
【図６】本発明の第２の実施形態を示す。
【図７】本発明の第２の実施形態を示す。
【図８】本発明の第２の実施形態を示す。
【図９】本発明の第３の実施形態を示す。
【図１０】本発明の第３の実施形態を示す。
【図１１】本発明の第３の実施形態を示す。
【図１２】本発明の第３の実施形態を示す。
【図１３】本発明の第４の実施形態を示す。
【図１４】本発明の第４の実施形態を示す。
【図１５】本発明の第４の実施形態を示す。
【発明を実施するための形態】
【００３２】
図１は、車両、特に、自動車用のディスプレイ装置１０（以下では、車両ディスプレイシステム１０とも呼ばれる）の概略的な斜視図を示す。
【００３３】
ディスプレイ装置１０は、第１の表示領域１１、第２の表示領域１２及び第３の表示領域１３を備える。例えば、第１の表示領域１１はｒｐｍの表示に使用され、第２の表示領域１２は速度の表示に使用され、且つ第３の表示領域は更なる情報の表示に使用される。特に、現在の燃料消費を示す運転状態（以下では、ドライブ状態とも呼ばれる）に関する情報１４は、第１の表示領域１１において例示的なシンボル１４として示される。このシンボル１４又は情報１４は、シンボル１４の例示的な緑色の表示１４’を有する（第１のドライブ状態に対応する）第１の実施形態の第１の例示において図２の拡大図に示される。このシンボル１４又は情報１４は、シンボル１４の例示的な黄色の表示１４’’を有する（第２のドライブ状態に対応する）第１の実施形態の第２の例示において図３の拡大図に示される。このシンボル１４又は情報１４は、シンボル１４の例示的な赤色の表示１４’’’を有する（第３のドライブ状態に対応する）第１の実施形態の第３の例示において図４の拡大図に示される。
【００３４】
図５は、車両、特に、自動車用のディスプレイ装置１０の概略的な斜視図を示す。ディスプレイ装置１０は、第１の表示領域１１、第２の表示領域１２及び第３の表示領域１３を備える。運転状態に関する情報１４は、第１の表示領域１１にシンボル１４として示される。このシンボル１４又は情報１４は、シンボル１４の例示的な緑色の表示１４’を有する（第１のドライブ状態に対応する）第２の実施形態の第１の例示において図６の拡大図に示される。このシンボル１４又は情報１４は、シンボル１４の例示的な黄色の表示１４’’を有する（第２のドライブ状態に対応する）第２の実施形態の第２の例示において図７の拡大図に示される。このシンボル１４又は情報１４は、シンボル１４の例示的な赤色の表示１４’’’を有する（第３のドライブ状態に対応する）第２の実施形態の第３の例示において図８の拡大図に示される。
【００３５】
図９は、車両、特に、自動車用のディスプレイ装置１０の概略的な斜視図を示す。ディスプレイ装置１０は、第１の表示領域１１、第２の表示領域１２及び第３の表示領域１３を備える。運転状態に関する情報１４は、第３の表示領域１３のシンボル１４として示される。このシンボル１４又は情報１４は、シンボル１４の例示的な緑色の表示１４’を有する（第１のドライブ状態に対応する）第３の実施形態の第１の例示において図１０の拡大図に示される。このシンボル１４又は情報１４は、シンボル１４の例示的な黄色の表示１４’’を有する（第２のドライブ状態に対応する）第３の実施形態の第２の例示において図１１の拡大図に示される。このシンボル１４又は情報１４は、シンボル１４の例示的な赤色の表示１４’’’を有する（第３のドライブ状態に対応する）第３の実施形態の第３の例示において図１２の拡大図に示される。
【００３６】
第４の実施形態によれば、表示領域１１，１２，１３のポインタはその色彩を変化させる。これは、例えば、第１の表示領域に関して図１３、１４及び１５に描かれている。図１３において、ドライブ状態に従ったシンボルが、シンボルの例示的な緑色の表示１４’を有する（第１のドライブ状態に対応する）第４の実施形態の第１の例示において描かれている。図１４において、ドライブ状態に従ったシンボルが、シンボルの例示的な黄色の表示１４’’を有する（第２のドライブ状態に対応する）第４の実施形態の第２の例示において描かれている。図１５において、ドライブ状態に従ったシンボルが、シンボルの例示的な赤色の表示１４’’’を有する（第３のドライブ状態に対応する）第４の実施形態の第３の例示において描かれている。
【図１】
2013506589.tif 000003
【図２】
2013506589.tif 000004
【図３】
2013506589.tif 000005
【図４】
2013506589.tif 000006
【図５】
2013506589.tif 000007
【図６】
2013506589.tif 000008
【図７】
2013506589.tif 000009
【図８】
2013506589.tif 000010
【図９】
2013506589.tif 000011
【図１０】
2013506589.tif 000012
【図１１】
2013506589.tif 000013
【図１２】
2013506589.tif 000014
【図１３】
2013506589.tif 000015
【図１４】
2013506589.tif 000016
【図１５】
2013506589.tif 000017
【国際調査報告】
2013506589.tif 000018
2013506589.tif 000019